【事件の表示】
　特許第４２１７１４９号に関する訂正審判事件について、次のとおり審決する。
【結　論】
　特許第４２１７１４９号の明細書、特許請求の範囲及び図面を本件審判請求書に添付された訂正明細書、特許請求の範囲及び図面のとおり訂正することを認める。
【理　由】
第１　手続の経緯
　本件特許第４２１７１４９号（以下「本件特許」という。）は、平成１５年１２月９日に出願され、平成２０年１１月１４日に特許権の設定の登録がなされ、平成２７年１２月３日に本件訂正審判の請求がなされた。
　
第２　審判請求の趣旨
　本件審判請求の趣旨は、本件特許の明細書、特許請求の範囲及び図面を本件審判請求書に添付した訂正明細書、特許請求の範囲及び図面のとおり訂正することを認める、との審決を求めるものである。
　
第３　訂正の内容
　本件特許の訂正の内容は、次のとおりである。
　１　訂正事項１（特許請求の範囲の請求項１に係る訂正事項）
　訂正事項１は、請求項１の「前記映像データ記憶手段に記憶された画像データは、前記通常変動表示状態時に前記第１の部位に表示する第１画像データと前記第２の部位に表示する第２画像データと、前記演出変動表示状態時に前記第２部位に表示する動画像を再生するための複数フレーム分の動画像データと、を含み、」との記載を、「前記映像データ記憶手段に記憶された画像データは、前記通常変動表示状態時に前記第１の部位に表示する第１画像データと前記第２の部位に表示する第２画像データと、前記演出変動表示状態時に前記第２
の
　
　２　訂正事項２（特許請求の範囲の請求項５に係る訂正事項）
　訂正事項２は、請求項５の「前記映像データ記憶手段に記憶された画像データは、前記通常変動表示状態時に前記第１の部位に表示する第１画像データと前記第２の部位に表示する第２画像データと、前記演出変動表示状態時に前記第２部位に表示する動画像を再生するための複数フレーム分の動画像データと、を含み、」との記載を、「前記映像データ記憶手段に記憶された画像データは、前記通常変動表示状態時に前記第１の部位に表示する第１画像データと前記第２の部位に表示する第２画像データと、前記演出変動表示状態時に前記第２
の
　
　３　訂正事項３（明細書の【０００９】に係る訂正事項）
　訂正事項３は、本件特許明細書【０００９】の「前記映像データ記憶手段に記憶された画像データは、前記通常変動表示状態時に前記第１の部位に表示する第１画像データと前記第２の部位に表示する第２画像データと、前記演出変動表示状態時に前記第２部位に表示する動画像を再生するための複数フレーム分の動画像データと、を含み、」との記載を、「前記映像データ記憶手段に記憶された画像データは、前記通常変動表示状態時に前記第１の部位に表示する第１画像データと前記第２の部位に表示する第２画像データと、前記演出変動表示状態時に前記第２
の
　
　４　訂正事項４（明細書の【００１３】に係る訂正事項）
　訂正事項４は、本件特許明細書【００１３】の「前記映像データ記憶手段に記憶された画像データは、前記通常変動表示状態時に前記第１の部位に表示する第１画像データと前記第２の部位に表示する第２画像データと、前記演出変動表示状態時に前記第２部位に表示する動画像を再生するための複数フレーム分の動画像データと、を含み、」との記載を、「前記映像データ記憶手段に記憶された画像データは、前記通常変動表示状態時に前記第１の部位に表示する第１画像データと前記第２の部位に表示する第２画像データと、前記演出変動表示状態時に前記第２
の
　
　５　訂正事項５（明細書の【００４８】に係る訂正事項）
　訂正事項５は、本件特許明細書【００４８】の「図４の変動表示パターンは、左・右・中の各図柄が変動を開始した後、左図柄と右図柄とが順次停止して、左図柄と中図柄が揃って」との記載を、「図４の変動表示パターンは、左・
中
右
右
　
　６　訂正事項６（明細書の【００８０】に係る訂正事項）
　訂正事項６は、本件特許明細書【００８０】の「具体的には、表示制御データは、図１３（ａ）〜（ｄ）に例示する示す表示制御データＫ、Ｌ、Ｍ、Ｎに示すような構成を有する。」との記載を、「具体的には、表示制御データは、図１３（ａ）〜（ｄ）に例示す
る表
　
　７　訂正事項７（明細書の【００９８】に係る訂正事項）
　　訂正事項７は、本件特許明細書【００９８】の「以下、遊技制御用マイコン１００が実行する特図ゲームの処理を図１６〜図１２３を参照して説明する。」との記載を、「以下、遊技制御用マイコン１００が実行する特図ゲームの処理を図１６〜
図２
　
　８　訂正事項８（【図５】に係る訂正事項）
　訂正事項８は、本件特許の図面の【図５】の「第１部位」、「第２部位」との記載を、「第１
の
の
　
第４　当審の判断
　１　訂正事項１及び２について
　（１）訂正の目的の適否について
　　　ア　訂正前の請求項１及び請求項５において、「前記第２部位」は「前記」と付されているものの、これより前の箇所に「第２部位」という記載がないため、その記載が不明瞭になっていた。
　そして、訂正前の請求項１及び請求項５において、「前記画像表示装置に表示される少なくとも一の識別情報は、予め定められた第１の部位と第２の部位とから構成されており」との記載があり、訂正後の請求項１及び請求項５は、訂正前の「第２部位」が「第２の部位」であることを明確にしたものである。
　よって、訂正事項１及び訂正事項２は、特許法第１２６条第１項ただし書第３号に規定する「明瞭でない記載の釈明」を目的とするものである。
　
　（２）訂正が本件特許明細書、特許請求の範囲又は図面（以下「本件特許明細書等」という。）に記載した事項の範囲内のものであるか否かについて
　本件特許発明の「画像データ」について、本件特許明細の【００４９】に「図５に示すように、キャラクタの画像はキャラクタ上の第１の部位と第２の部位とから構成される。第２の部位の画像は、スプライト画像から構成され、第１の部位の画像はスプライト画像又は動画から構成され、合成されて１つのキャラクタの一連の動きを表すものとして表示される。」と記載されている。
　つまり、本件特許発明の「第２部位」を「第２の部位」とすることは、本件特許明細書に記載されていることから、訂正事項１及び２は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　よって、訂正事項１及び２は特許法第１２６条第５項の規定に適合する。
　
　（３）訂正が実質上特許請求の範囲を拡張し、又は変更するものであるか否かについて
　訂正事項１及び２は、上記１（１）のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　２　訂正事項３及び４について
　（１）訂正の目的の適否について
　訂正事項３及び４は、訂正事項１及び２に係る訂正に伴って、特許請求の範囲の記載と発明の詳細な説明の記載との整合を図るために、本件特許明細書の【００１３】、【００４８】の記載を、それぞれ、訂正後の請求項１、請求項５の記載と整合させるものである。
　よって、訂正事項３及び４は、特許法第１２６条第１項ただし書第３号に規定する「明瞭でない記載の釈明」を目的とするものである。
　
　（２）訂正が本件特許明細書等に記載した事項の範囲内のものであるか否かについて 
　訂正事項３及び４は、上記２（１）において検討したように、訂正事項１及び２に係る訂正に伴うものであり、訂正事項１及び２は、上記１（２）で検討したとおり、本件特許明細書等の記載に基づくものである。
　そして、訂正事項３及び４は、本件特許明細書等の全ての記載を総合することにより導かれる技術的事項との関係において新たな技術的事項を導入するものではないから、訂正事項３及び４は、訂正事項１及び２と同様に本件特許明細書等に記載した事項の範囲内のものである。
　よって、訂正事項２は特許法第１２６条第５項の規定に適合する。
　
　（３）訂正が実質上特許請求の範囲を拡張し、又は変更するものであるか否かについて
　訂正事項３及び４は、上記２（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　３　訂正事項５について
　（１）訂正の目的の適否について
　本件特許明細書の【００４８】の「図４の変動表示パターンは、左・右・中の各図柄が変動を開始した後」との記載は、３つの図柄の並び順について、同本件特許明細書の【００４７】における「左・中・右の特別図柄」の記載と整合性がなく、その記載が不明瞭になっていた。
　また、リーチ状態の成立に関する本件特許明細書の【００４８】の「左図柄と中図柄が揃って」の記載は、同じく、本件特許明細書の【００４８】の「左図柄と右図柄とが順次停止して」との記載、及び、本件特許の【図４】の図示内容と整合性がなく、その記載が不明瞭になっていた。
　そして、訂正事項５は、３つの図柄の並び順を「左・中・右」とし、他の記載と整合させると共に、「左図柄と右図柄が揃」うことがリーチ状態の成立であるとし、他の記載と整合させることにより、その記載を明確にしたものである。
　よって、訂正事項５は、特許法第１２６条第１項ただし書第３号に規定する「明瞭でない記載の釈明」を目的とするものである。
　
　（２）訂正が本件特許明細書等に記載した事項の範囲内のものであるか否かについて 
　訂正事項５は、上記３（１）において検討したように、本件特許明細書の【００４７】及び【００４８】の記載、及び、本件特許の【図４】の図示内容に基づくものである。
　したがって、訂正事項５は、本件特許明細書等のすべてを総合することにより導かれる技術的事項との関係において新たな技術的事項を導入するものではなく、本件特許明細書等に記載した事項の範囲内のものである。
　よって、訂正事項１及び２は特許法第１２６条第５項の規定に適合する。
　
　（３）訂正が実質上特許請求の範囲を拡張し、又は変更するものであるか否かについて
　訂正事項５は、上記３（１）のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　４　訂正事項６について
　（１）訂正の目的の適否について
　本件特許明細書の【００８０】の「図１３（ａ）〜（ｄ）に例示する示す表示制御データＫ、Ｌ、Ｍ、Ｎ」との記載は、「例示する示す」という不明瞭な記載を含むものになっていた。
　そして、訂正事項６は、「例示する示す」を「例示する」と、その記載を明確にしたものである。
　よって、訂正事項６は、特許法第１２６条第１項ただし書第３号に規定する「明瞭でない記載の釈明」を目的とするものである。
　
　（２）訂正が本件特許明細書等に記載した事項の範囲内のものであるか否かについて 
　訂正事項は、上記４（１）において検討したように、本件特許明細書の【００８０】に基づくものである。
　したがって、訂正事項６は、本件特許明細書等のすべてを総合することにより導かれる技術的事項との関係において新たな技術的事項を導入するものではなく、本件特許明細書等に記載した事項の範囲内のものである。
　よって、訂正事項１及び２は特許法第１２６条第５項の規定に適合する。
　
　（３）訂正が実質上特許請求の範囲を拡張し、又は変更するものであるか否かについて
　訂正事項６は、上記４（１）のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　５　訂正事項７について
　（１）訂正の目的の適否について
　本件特許明細書の【００９８】の「特図ゲームの処理を図１６〜図１２３を参照して説明する。」との記載は、本件特許の図面について、図が【図１】〜【図２４】までしか存在しないことから、その記載内容が不明瞭になっていた。
　そして、本件特許明細書の「図面の簡単な説明」の項（【０１４６】）には、【図１６】が「遊技制御用マイコンによる特図ゲームの制御を中心とする処理例を示すフローチャート」を示すものであり、【図１７】〜【図１９】、【図２３】が【図１６】の詳細を示すフローチャートであり、【図２０】〜【図２２】が特別図柄に関する説明を行うものである旨記載されている。
　このように本件特許の【図１６】〜【図２３】は、特別ゲームの処理に関するものである。
　したがって、訂正事項７は、本件特許明細書おいて、特別ゲームの処理に関する図が【図１７】〜【図２３】であることを明確にしたものである。
　よって、訂正事項７は、特許法第１２６条第１項ただし書第３号に規定する「明瞭でない記載の釈明」を目的とするものである。
　
　（２）訂正が本件特許明細書等に記載した事項の範囲内のものであるか否かについて 
　訂正事項７は、上記５（１）において検討したように、本件特許明細書の【０１４６】の記載に基づくものである。
　したがって、訂正事項７は、本件特許明細書等のすべてを総合することにより導かれる技術的事項との関係において新たな技術的事項を導入するものではなく、本件特許明細書等に記載した事項の範囲内のものである。
　よって、訂正事項１及び２は特許法第１２６条第５項の規定に適合する。
　
　（３）訂正が実質上特許請求の範囲を拡張し、又は変更するものであるか否かについて
　訂正事項７は、上記５（１）のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　６　訂正事項８について
　（１）訂正の目的の適否について
　本件特許の図面の【図５】の「第１部位」、「第２部位」との記載は、本件特許明細書の【００４９】の「図５に示すように、キャラクタの画像はキャラクタ上の第１の部位と第２の部位とから構成される。
第２の部位
第１の部位
　そして、訂正事項８は、本件特許の【図５】の「第１部位」、「第２部位」との記載を、本件特許明細書の「第１の部位」、「第２の部位」との記載に整合させ、その記載を明確にしたものである。
　よって、訂正事項８は、特許法第１２６条第１項ただし書第３号に規定する「明瞭でない記載の釈明」を目的とするものである。
　
　（２）訂正が本件特許明細書等に記載した事項の範囲内のものであるか否かについて 
　訂正事項８は、上記６（１）において検討したように、本件特許明細書の【００４９】の記載に基づくものである。
　したがって、訂正事項８は、本件特許明細書等のすべてを総合することにより導かれる技術的事項との関係において新たな技術的事項を導入するものではなく、本件特許明細書等に記載した事項の範囲内のものである。
　よって、訂正事項８は特許法第１２６条第５項の規定に適合する。
　
　（３）訂正が実質上特許請求の範囲を拡張し、又は変更するものであるか否かについて
　訂正事項８は、上記６（１）のとおり、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
第５　むすび
　以上のとおりであるから、本件訂正審判の請求に係る訂正事項１〜８は、特許法第１２６条第１項ただし書第３号に掲げる事項を目的とするものであり、かつ、同条第５項及び第６項の規定に適合するものである。
　
　よって、結論のとおり審決する。